(57)【特許請求の範囲】
【請求項１】
収納式観覧席の床台上に設けられた椅子の形態を使用時形態と収納時形態との間で変更する椅子形態変更装置において、
前記椅子の背を起立位置と倒れ位置との間で動かす背駆動手段と、
前記椅子の座を前記起立位置の背の下部に隣接する位置と、前記倒れ位置の背の前方の位置であって前記床台間から前方に突出した位置との間で進退させる座駆動手段と、
を具えることを特徴とする、収納式観覧席用椅子形態変更装置。
【請求項２】
前記座駆動手段は、前記背と前記座とをリンクを介して連結し、前記背の倒れおよび起立と連動させて前記座を進退させるリンク機構であることを特徴とする、請求項１記載の収納式観覧席用椅子形態変更装置。
【請求項３】
前記背駆動手段は、後側支柱と前側支柱とをリンクとして持つ四節リンク機構を有することを特徴とする、請求項１または２記載の収納式観覧席用椅子形態変更装置。
【発明の詳細な説明】
【０００１】
【発明の属する技術分野】
この発明は、収納式観覧席の床台上に設けられた椅子の形態を床台の展開時の使用時形態と床台の重合時の収納時形態との間で変更する椅子形態変更装置に関するものである。
【０００２】
【従来の技術】
収納式観覧席は、体育館や多目的ホール等に用いられるもので、一般に図８に示すように、横並びに配置された複数の椅子（図では各段一つずつ示す）１を形態変更可能に支持する複数の床台２を具え、それらの床台２を、図８（ａ）に示す如き、使用時の互いに階段状にずれる展開状態と、図８（ｂ）に示す如き、収納時の互いに上下に整列する重合状態との間で移動させるとともに、その重合状態では各床台２上の椅子１を倒れた形態として床台２の上下間隔を少なくすることで全体にコンパクトに纏まって壁際等の収納位置に収納され、またその展開状態では各床台２上の椅子１を起立した形態として階段状の観覧席を形成する。
【０００３】
ところで、上記のように椅子の形態を倒れた形態と起立した形態との間で変更するために収納式観覧席は、椅子形態変更装置を具えており、従来の椅子形態変更装置は、図９（ａ）に示すように椅子１の座３と背４を重ね合わせた状態で、それら座３と背４とを起立させるように支柱５を、モータとその出力回転を減速する減速機とからなる回動機構６で回動させて、椅子１を、座３を前に倒すと着座可能になる使用時形態とするとともに、図９（ｂ）に示すように椅子１の座３と背４を重ね合わせた状態で、それら座３と背４とを倒すように支柱５を回動機構６で回動させて椅子１を収納時形態として、図９（ｃ）に示すように床台２の段差の間に椅子１が収まるようにしている。
【０００４】
【発明が解決しようとする課題】
しかしながら、かかる従来の椅子形態変更装置では、椅子の座と背とを重ね合わせた状態で倒して収納時形態としていたため、座や背を厚くすると床台間の段差が所定の仕様を満たさなくなってしまうことから、座や背を充分に厚くして着座時の快適性を充分確保することが困難であるという問題があった。
【０００５】
【課題を解決するための手段およびその作用・効果】
この発明は、上記課題を有利に解決した椅子形態変更装置を提供することを目的とするものであり、この発明の収納式観覧席用椅子形態変更装置は、収納式観覧席の床台上に設けられた椅子の形態を使用時形態と収納時形態との間で変更する椅子形態変更装置において、前記椅子の背を起立位置と倒れ位置との間で動かす背駆動手段と、前記椅子の座を前記起立位置の背の下部に隣接する位置と、前記倒れ位置の背の前方の位置であって前記床台間から前方に突出した位置との間で進退させる座駆動手段と、を具えることを特徴とするものである。
【０００６】
かかる椅子形態変更装置にあっては、床台の展開使用時には、背駆動手段が椅子の背を起立位置に動かすとともに、座駆動手段が椅子の座を前記起立位置の背の下部に隣接する位置に動かして、床台上で起立した背の下部に座が隣接した使用時形態とし、その一方、床台の重合収納時には、背駆動手段が椅子の背を倒れ位置に動かすとともに、座駆動手段が椅子の座を前記倒れ位置の背の前方の位置であって床台間から前方に突出した位置に動かして、少なくとも背が床台間に入り得るとともに座がその背の前方に床台間から突出して位置する収納時形態に椅子形態を変更する。
【０００７】
従って、この発明の椅子形態変更装置によれば、床台の重合収納時に椅子の座と背とを重ね合わせた状態にしないため、座や背を厚くしても実際上床台間の段差が所定の仕様を満たさなくなるということがないので、座や背を充分に厚くして着座時の快適性を充分確保することができる。
【０００８】
なお、この発明の椅子形態変更装置においては、前記座駆動手段は、前記背と前記座とをリンクを介して連結し、前記背の倒れおよび起立と連動させて前記座を進退させるリンク機構であっても良く、このようにすれば、座の進退を簡易な構成で容易に行わせることができる。
【０００９】
また、この発明の椅子形態変更装置においては、前記背駆動手段は、後側支柱と前側支柱とをリンクとして持つ四節リンク機構を有するものであっても良く、このようにすれば、背の倒れおよび起立を簡易な構成で容易に行わせることができる。
【００１０】
【発明の実施の形態】
以下に、この発明の実施の形態を実施例によって、図面に基づき詳細に説明する。ここに、図１は、この発明の椅子形態変更装置の一実施例を椅子を使用時形態とした状態で示す側面図、図２は、その実施例の椅子形態変更装置を椅子を使用時形態とした状態で示す正面図、図３はその実施例の椅子形態変更装置を椅子を使用時形態と収納時形態との中間の形態とした状態で示す側面図、図４はその実施例の椅子形態変更装置を椅子を収納時形態とした状態で示す側面図であり、図中従来例と同様の部分はそれと同一の符号にて示す。そして、図１，３および４では左方が椅子および床台の前方、右方が椅子および床台の後方を示す。
【００１１】
すなわち、図中符号１は椅子、２は収納式観覧席の床台、３は椅子１の座、４は椅子１の背をそれぞれ示し、この実施例の椅子形態変更装置では、モータとその出力回転を減速する減速機とからなり床台２上に固設された回動機構６の出力軸６ａに下端部を結合された後側支柱７の上端部が、背支持ブラケット８の上端部を支持軸９を介して回動可能に支持し、また、床台２上に固設された支柱支持ブラケット１０に支持軸１１を介して回動可能に下端部を支持された前側支柱１２の上端部が、支持軸１３を介して背支持ブラケット８の、支持軸９より下部寄りの部分を回動可能に支持しており、ここで、背支持ブラケット８は、背４を固定支持している。
【００１２】
さらに、この実施例の椅子形態変更装置では、後側支柱７の上端部の、支持軸９よりも上端寄りの部分が、支持軸１４を介してリンク部材１５の上端部を回動可能に支持し、また背支持ブラケット８の下端部が支持軸１６を介して、座支持ブラケット１７の後端部を回動可能に支持し、そしてリンク部材１５の下端部が支持軸１８を介して、座支持ブラケット１７の、支持軸１６よりも前部寄りの部分を回動可能に支持しており、ここで、座支持ブラケット１７は、座３を図１中実線で示す使用位置と図１中仮想線で示す起立位置との間で回動可能に支持し、その座３は、座面に負荷が加わっていない状態では上記起立位置に自動起立するように、図示しない付勢部材により付勢されている。さらに、背支持ブラケット８が一端部を支持する支持軸９，１３，１６の他端部は、添設部材１９によって支持されている。
【００１３】
これによりここでは、回動機構６の出力軸６ａと支持軸９，１１，１３とで互いに連結された床台２と後側支柱７と背支持ブラケット８と前側支柱１２とが第１の四節リンク機構を構成するとともに、支持軸９，１４，１６，１８で互いに連結された後側支柱７と背支持ブラケット８とリンク部材１５と座支持ブラケット１７とが第２の四節リンク機構を構成しており、これら第１の四節リンク機構および第２の四節リンク機構の組は、図２に示すように、座３および背４の左右両側にそれぞれ設けられている。そしてこの実施例では、上記第１の四節リンク機構と回動機構６とが背駆動手段に相当し、また上記第２の四節リンク機構が座駆動手段に相当する。
【００１４】
かかる構成を具えるこの実施例の椅子形態変更装置にあっては、床台２の展開使用状態では、図１に示すように、回動機構６が後側支柱７を略直立位置に位置させ、これにより上記第１の四節リンク機構の作用で背支持ブラケット８が僅かに後傾した位置に位置して椅子１の背４がこれも僅かに後傾した起立位置に位置し、これに伴って上記第２の四節リンク機構の作用で座支持ブラケット１７が上記僅かに後傾した背支持ブラケット８の下端部に対し前側に隣接して位置し、これにより座３が上記起立位置の背４の下部に隣接して位置して、椅子１が、床台２上で起立した背４の下部に座３が隣接し、その座３を前に倒すと着座可能となる使用時形態となっている。なお、この使用時形態は、例えば回動機構６をウォームギヤ駆動式のセルフロック型のものとしたり、回動機構６内部や支柱７，１２にロック機構を設けたりすることで維持することができる。
【００１５】
そして床台２を上記展開使用状態から重ね合わせて収納する時には、図３および図４に示すように、回動機構６が後側支柱７を略直立位置から略水平位置まで前方に回動させ、これにより上記第１の四節リンク機構の作用で背支持ブラケット８が後傾しつつ前方の斜め下方へ略水平位置まで動いて、椅子１の背４が上向きになりつつ前方の斜め下方へ略水平の倒れ位置まで動き、これに伴って上記第２の四節リンク機構の作用で座支持ブラケット１７が前方の斜め下方へ動いて床台２の前端から突出し、これにより座３が上記倒れ位置の背４の前方で背４と重ならずかつ床台２の前端から突出する位置に動いて、椅子１が、背４が床台２間に入り得るとともに座３がその背４の前方に位置する収納時形態となる。なお、回動機構６が上記と逆に後側支柱７を略直立位置まで回動させれば、椅子１は先の使用時形態に変更される。
【００１６】
図５（ａ），（ｂ）は、各床台２上に横並びに配置された複数の椅子（図では各段一つずつ示す）１と、各床台２上に設けられてそれらの椅子１の形態を変更する上記実施例の椅子形態変更装置とを具えた収納式観覧席を、床台２の展開使用状態および重合収納状態でそれぞれ示す側面図、また図６（ａ）〜（ｃ）は、図５に示す収納式観覧席の床台２の展開使用状態と重合収納状態との間の移動に伴う上記実施例の椅子形態変更装置の作動を示す説明図である。
【００１７】
この収納式観覧席も、床台２を、図５（ａ）に示す如き、使用時の互いに階段状にずれる展開状態と、図５（ｂ）に示す如き、収納時の互いに上下に整列する重合状態との間で移動させるとともに、その重合状態では各床台２上の椅子１を倒れた形態として床台２の上下間隔を少なくすることで全体にコンパクトに纏まって壁際等の収納位置に収納され、またその展開状態では各床台２上の椅子１を起立した形態として階段状の観覧席を形成する。
【００１８】
そしてその床台２の展開使用状態では、上記回動機構６が後側支柱７を略直立位置に位置させることで、各椅子１が、図６（ａ）に示すように床台２上で起立した背４の下部に座３が隣接し、その座３を前に倒すと着座可能となる使用時形態となっており、床台２を収納する際には、先ず上記回動機構６が後側支柱７を略水平位置まで前方に回動させることで、各椅子１が、図６（ｂ）に示すように背４が床台２間に入り得るとともに座３がその背４の前方に位置する収納時形態となり、次いで床台２が後退して、図６（ｃ）に示す如き重合収納状態となる。このとき、背４は床台２間に入っているが、座３は背４の前方にて床台２の前端から突出した状態となっている。なお、床台２を重合収納状態から展開使用状態にする際には、上記と逆の手順をとれば良い。
【００１９】
従って、この実施例の椅子形態変更装置によれば、床台２の重合収納時に椅子１の座３と背４とを重ね合わせた状態にしないため、座３や背４を厚くしても実際上床台２間の段差が所定の仕様を満たさなくなるということがないので、座３や背４を充分に厚くして着座時の快適性を充分確保することができる。
【００２０】
また、この実施例の椅子形態変更装置によれば、座駆動手段が、背４を支持する背支持ブラケット８と座３を支持する座支持ブラケット１７とを、リンクとしての後側支柱７の上端部とリンク部材１５とを介して連結し、背４の倒れおよび起立と連動させて座３を進退させる第２の四節リンク機構であるので、座３の進退を簡易な構成で容易に行わせることができる。
【００２１】
さらに、この実施例の椅子形態変更装置によれば、背駆動手段が、後側支柱７と前側支柱１２とをリンクとして持つ第１の四節リンク機構を有するものであるので、背４の倒れおよび起立を簡易な構成で容易に行わせることができる。
【００２２】
図７は、椅子形態変更装置の一参考例を図６（ｃ）と同様の状態で示す側面図であり、この参考例では、床台２が前方に延長されるとともに、収納時形態への移行時に座支持ブラケット１７が上記第２の四節リンク機構により前方に回動されるように構成されていて、椅子１の収納時形態では、背４が床台２間に入り得るとともに、座３がその背４の前方に位置してこれも床台２間に入り得るようにされている。
【００２３】
以上、図示例に基づき説明したが、この発明は上述の例に限定されるものでなく、例えば、背駆動手段は、前側支柱１２を回動させて上記例と同様に背４を動かすものでも良く、また背４を僅かに後傾した起立位置から前倒しに回動させて略水平の倒れ位置まで動かすものでも良い。
【００２４】
そして座駆動手段は、四節リンク機構以外のリンク機構でも良く、また背４と別個独立に座３を、略水平の倒れ位置の背４の前方の位置に移動させるものでも良い。
【図面の簡単な説明】
【図１】  この発明の椅子形態変更装置の一実施例を椅子を使用時形態とした状態で示す側面図である。
【図２】  上記実施例の椅子形態変更装置を椅子を使用時形態とした状態で示す正面図である。
【図３】  上記実施例の椅子形態変更装置を椅子を使用時形態と収納時形態との中間の形態とした状態で示す側面図である。
【図４】  上記実施例の椅子形態変更装置を椅子を収納時形態とした状態で示す側面図である。
【図５】  （ａ）は、各床台上に配置された椅子と、各床台上に設けられて椅子の形態を変更する上記実施例の椅子形態変更装置とを具えた収納式観覧席を床台の展開使用状態で示す側面図、（ｂ）は、その収納式観覧席を床台の重合収納状態で示す側面図である。
【図６】  （ａ）〜（ｃ）は、図５に示す収納式観覧席の床台の展開使用状態と重合収納状態との間の移動に伴う上記実施例の椅子形態変更装置の作動を示す説明図である。
【図７】  椅子形態変更装置の一参考例を図６（ｃ）と同様の状態で示す側面図である。
【図８】  （ａ）は、各床台上に配置された椅子と、各床台上に設けられて椅子の形態を変更する従来の椅子形態変更装置とを具えた収納式観覧席を床台の展開使用状態で示す側面図、（ｂ）は、その収納式観覧席を床台の重合収納状態で示す側面図である。
【図９】  （ａ）〜（ｃ）は、図８に示す収納式観覧席の床台の展開使用状態と重合収納状態との間の移動に伴う上記従来の椅子形態変更装置の作動を示す説明図である。
【符号の説明】
１  椅子
２  床台
３  座
４  背
５  支柱
６  回動機構
６ａ  出力軸
７  後側支柱
８  背支持ブラケット
９  支持軸
１０  支柱支持ブラケット
１１  支持軸
１２  前側支柱
１３  支持軸
１４  支持軸
１５  リンク部材
１６  支持軸
１７  座支持ブラケット
１８  支持軸
１９  添設部材
【図１】
0004002121.tif 000002
【図２】
0004002121.tif 000003
【図３】
0004002121.tif 000004
【図４】
0004002121.tif 000005
【図５】
0004002121.tif 000006
【図６】
0004002121.tif 000007
【図７】
0004002121.tif 000008
【図８】
0004002121.tif 000009
【図９】
0004002121.tif 000010